(57)【要約】【課題】形状が異なる複数の物品を包装でき、搬送時における物品の移動を抑制できる包装材を提供する。【解決手段】包装材において、側方に位置し、互いに対向する一対の第１面を有する外装箱と、前記外装箱の内側において、それぞれが、前記一対の第１面に沿って設けられた一対の第１側面板と、それぞれの前記第１側面板に設けられた第１凹部に差し込まれる第１固定部材と、を備え、前記第１固定部材は、包装対象である第１物品の第１上面から第１側面に連なる第１部分の少なくとも一部を覆う。【選択図】図１
2019094122.tif 000002
【特許請求の範囲】
【請求項１】
側方に位置し、互いに対向する一対の第１面を有する外装箱と、
前記外装箱の内側において、それぞれが、前記一対の第１面に沿って設けられる一対の第１側面板と、
それぞれの前記第１側面板に設けられた第１凹部に差し込まれる第１固定部材と、
を備え、
前記第１固定部材は、包装対象である第１物品の第１上面から第１側面に連なる第１部分の少なくとも一部を覆う包装材。
【請求項２】
一対の前記第１固定部材を備え、
それぞれの前記第１側面板には、前記一対の第１固定部材が差し込まれる複数の前記第１凹部が設けられ、
前記一対の第１固定部材は、前記一対の第１側面板を結ぶ第１方向に垂直であり水平な第２方向において互いに対向し、
前記一対の第１固定部材は、それぞれ、前記第１部分の前記少なくとも一部および前記第１上面から第２側面に連なる第２部分の少なくとも一部を覆う請求項１記載の包装材。
【請求項３】
前記一対の第１固定部材の上方に設けられる一対の第２固定部材をさらに備え、
それぞれの前記第１側面板には、前記一対の第２固定部材が差し込まれる複数の第２凹部が設けられ、
前記一対の第２固定部材は、前記第２方向において互いに対向し、
それぞれの前記第１固定部材は、前記第１方向および前記第２方向に平行な上面を有する第１水平部を有し、
一対の前記第１水平部は、それぞれ、前記第１部分の前記少なくとも一部および前記第２部分の前記少なくとも一部を上方から覆い、
それぞれの前記第２固定部材は、前記第１方向に平行であり前記第２方向に垂直な側面を有する第２鉛直部を有し、
前記第２鉛直部同士の間の前記第２方向における距離は、前記第１水平部同士の間の前記第２方向における距離よりも長く設定される請求項２記載の包装材。
【請求項４】
それぞれの前記第１固定部材は、前記第１方向に平行であり前記第２方向に垂直な側面を有する第１鉛直部を有し、
一対の前記第１鉛直部は、それぞれ、前記第１部分の前記少なくとも一部および前記第２部分の前記少なくとも一部を側方から覆い、
それぞれの前記第１鉛直部の下部には、前記第１方向に沿って複数の切れ込みが設けられた請求項２または３に記載の包装材。
【請求項５】
それぞれの前記第１固定部材は、前記第１方向に平行であり前記第２方向に垂直な側面を有する第１鉛直部を有し、
一対の前記第１鉛直部は、それぞれ、前記第１部分の前記少なくとも一部および前記第２部分の前記少なくとも一部を側方から覆い、
それぞれの前記第１鉛直部は、
下部に前記第１方向に沿って複数の切れ込みが設けられた第１鉛直部分と、
前記第１方向において前記第１鉛直部分と重なり、少なくとも一部が前記第１鉛直部分の前記下部よりも下方に位置する第２鉛直部分と、
を有し、
一対の前記第１鉛直部分は、前記第１方向において一対の前記第２鉛直部分の間に位置する請求項２または３に記載の包装材。
【請求項６】
前記外装箱の前記第２方向における中心を通り、前記第２方向に垂直な鉛直面に対して、前記一対の第１固定部材は、面対称に設けられる請求項２〜５のいずれか１つに記載の包装材。  
【発明の詳細な説明】
【技術分野】
【０００１】
本発明の態様は、一般的に、包装材に関する。
【背景技術】
【０００２】
サイズの異なる複数の物品について、個別に包装するのではなく、一つの包装材で包装することが望まれている。個別に梱包すると、包装材の種類や、包装材の費用、包装作業に要する工数が増加するためである。
【先行技術文献】
【特許文献】
【０００３】
【特許文献１】特開平１０−１２００７４号公報
【発明の概要】
【発明が解決しようとする課題】
【０００４】
複数の物品を包装する包装材については、形状が異なる複数の物品を包装できることが望まれている。また、物品が損傷する可能性を低減するために、搬送時における物品の移動を抑制できることが望まれている。
【０００５】
本発明は、かかる課題の認識に基づいてなされたものであり、形状が異なる複数の物品を包装でき、搬送時における物品の移動を抑制できる包装材を提供することを目的とする。
【課題を解決するための手段】
【０００６】
第１の発明は、側方に位置し、互いに対向する一対の第１面を有する外装箱と、前記外装箱の内側において、それぞれが、前記一対の第１面に沿って設けられる一対の第１側面板と、それぞれの前記第１側面板に設けられた第１凹部に差し込まれる第１固定部材と、を備え、前記第１固定部材は、包装対象である第１物品の第１上面から第１側面に連なる第１部分の少なくとも一部を覆う包装材である。
【０００７】
この包装材によれば、第１部分の少なくとも一部を覆う第１固定部材により、一対の第１側面板を結ぶ第１方向に垂直であり水平な第２方向における第１物品の移動を抑制できる。また、第１固定部材の上に、第１方向における長さおよび第２方向における長さが第１物品と異なる別の物品を載置できる。このため、１つの包装材で形状が異なる複数の物品を包装できる。さらに、第１凹部の第２方向における位置を変えることで、様々な長さの第１物品を包装でき、包装資材の種類を減らすこともできる。
【０００８】
第２の発明は、第１の発明において、一対の前記第１固定部材を備え、それぞれの前記第１側面板には、前記一対の第１固定部材が差し込まれる複数の前記第１凹部が設けられ、前記一対の第１固定部材は、前記一対の第１側面板を結ぶ第１方向に垂直であり水平な第２方向において互いに対向し、前記一対の第１固定部材は、それぞれ、前記第１部分の前記少なくとも一部および前記第１上面から第２側面に連なる第２部分の少なくとも一部を覆う包装材である。
【０００９】
この包装材によれば、一対の第１固定部材により、第１物品の第１部分の少なくとも一部および第２部分の少なくとも一部が覆われるため、第１物品の第２方向における移動をさらに抑制できる。また、一対の第１固定部材の上に別の物品を載置することができ、当該別の物品をより安定した状態で包装できる。
【００１０】
第３の発明は、第２の発明において、前記一対の第１固定部材の上方に設けられる一対の第２固定部材をさらに備え、それぞれの前記第１側面板には、前記一対の第２固定部材が差し込まれる複数の第２凹部が設けられ、前記一対の第２固定部材は、前記第２方向において互いに対向し、それぞれの前記第１固定部材は、前記第１方向および前記第２方向に平行な上面を有する第１水平部を有し、一対の前記第１水平部は、それぞれ、前記第１部分の前記少なくとも一部および前記第２部分の前記少なくとも一部を上方から覆い、それぞれの前記第２固定部材は、前記第１方向に平行であり前記第２方向に垂直な側面を有する第２鉛直部を有し、前記第２鉛直部同士の間の前記第２方向における距離は、前記第１水平部同士の間の前記第２方向における距離よりも長く設定される包装材である。
【００１１】
この包装材によれば、一対の第２固定部材により、第２物品の第３部分の少なくとも一部および第４部分の少なくとも一部が覆われるため、第２物品の第１方向における移動を抑制できる。また、第２鉛直部同士の間の第２方向における距離が、第１水平部同士の間の第２方向における距離よりも長いことで、一対の第１固定部材の上に第２物品を載置することができる。このため、第２物品をより安定した状態で包装できる。
【００１２】
第４の発明は、第２または第３の発明において、それぞれの前記第１固定部材は、前記第１方向に平行であり前記第２方向に垂直な側面を有する第１鉛直部を有し、一対の前記第１鉛直部は、それぞれ、前記第１部分の前記少なくとも一部および前記第２部分の前記少なくとも一部を側方から覆い、それぞれの前記第１鉛直部の下部には、前記第１方向に沿って複数の切れ込みが設けられた包装材である。
【００１３】
この包装材によれば、第１物品の第１部分の少なくとも一部または第２部分の少なくとも一部を第１固定部材で覆った際に、それぞれの第１鉛直部の下部が、第１物品の形状に応じて変形する。そして、第１物品の第２方向における移動を、第１鉛直部下部の変形しなかった部分により抑制できる。すなわち、この包装材によれば、第２方向における移動に加えて、第１物品の第１方向における移動を抑制できる。また、第１物品の第１方向における長さに拘わらず、第１固定部材により第１物品を固定できるため、包装資材の種類を減らすことも可能である。
【００１４】
第５の発明は、第２または第３の発明において、それぞれの前記第１固定部材は、前記第１方向に平行であり前記第２方向に垂直な側面を有する第１鉛直部を有し、一対の前記第１鉛直部は、それぞれ、前記第１部分の前記少なくとも一部および前記第２部分の前記少なくとも一部を側方から覆い、それぞれの前記第１鉛直部は、下部に前記第１方向に沿って複数の切れ込みが設けられた第１鉛直部分と、前記第１方向において前記第１鉛直部分と重なり、少なくとも一部が前記第１鉛直部分の前記下部よりも下方に位置する第２鉛直部分と、を有し、一対の前記第１鉛直部分は、前記第１方向において一対の前記第２鉛直部分の間に位置する包装材である。
【００１５】
この包装材によれば、一対の第１鉛直部分により、第１物品の第１方向における移動をより確実に防止しつつ、一対の第２鉛直部分により、第１物品の第２方向における移動を抑制できる。
【００１６】
第６の発明は、第２〜第５のいずれか１つの発明において、前記外装箱の前記第２方向における中心を通り、前記第２方向に垂直な鉛直面に対して、前記一対の第１固定部材は、面対称に設けられる包装材である。
【００１７】
この包装材によれば、第１物品を包装した後の第２方向における重心位置の偏りを抑えることができ、持ち運びが容易となる。また、第１物品を、外装箱の第２方向におけるいずれの面からも離して配置できるため、外装箱の底面角部などが損傷または変形した場合でも、第１物品に衝撃が加わり難くなる。
【発明の効果】
【００１８】
本発明の態様によれば、形状が異なる複数の物品を包装でき、搬送時における物品の移動を抑制できる包装材が提供される。
【図面の簡単な説明】
【００１９】
【図１】実施形態に係る包装材を表す斜視図である。
【図２】実施形態に係る包装材の分解図である。
【図３】実施形態に係る包装材を表す図である。
【図４】実施形態に係る包装材の各構成要素の展開図である。
【図５】実施形態に係る包装材の各構成要素の展開図である。
【図６】実施形態に係る包装材の一部を表す断面図である。
【図７】実施形態に係る包装材の第１固定部材及び第２固定部材を表す斜視図である。
【図８】実施形態の変形例に係る包装材の構造を表す断面図である。
【図９】実施形態の変形例に係る包装材の第１固定部材および第２固定部材を表す斜視図である。
【発明を実施するための形態】
【００２０】
以下、本発明の実施の形態について図面を参照しつつ説明する。なお、各図面中、同様の構成要素には同一の符号を付して詳細な説明は適宜省略する。
【００２１】
図１は、実施形態に係る包装材を表す斜視図である。
図２は、実施形態に係る包装材の分解図である。
図３（ａ）は、実施形態に係る包装材の第１側面板を表す。図３（ｂ）は、実施形態に係る包装材の側方断面図である。図３（ｃ）は、実施形態に係る包装材の平面図である。
図４および図５は、実施形態に係る包装材の各構成要素の展開図である。
なお、図２、図３（ｂ）、および図３（ｃ）では、実施形態に係る包装材によって包装される物品も表されている。また、図３（ｂ）および図３（ｃ）では、外装箱の一部が省略されている。
【００２２】
実施形態に係る包装材１は、図１および図２に表したように、外装箱１０、第１側面板１１０、および第１固定部材２１０を備える。図示した例では、包装材１は、第２側面板１２０、第２固定部材２２０、および第１緩衝部材３１０をさらに備える。
【００２３】
外装箱１０は、図１および図２に表したように、外装箱１０において、一対の第１面１１が、互いに対向して設けられる。一対の第２面１２が、互いに対向して設けられる。第１面１１および第２面１２は、外装箱１０の側方に位置する。図４（ａ）に表したように、第１面１１の両端には、それぞれ、天面１３および底面１５が連なって設けられ、第２面１２の両端には、それぞれ、上フラップ１４および下フラップ１６が連なって設けられる。
【００２４】
本願明細書においては、図１および図２に表したように、一対の第１面１１を結ぶ方向を第１方向Ｄ１とする。一対の第２面１２を結ぶ方向を第２方向Ｄ２とする。第１方向Ｄ１および第２方向Ｄ２は、水平方向と平行である。また、外装箱１０が組み立てられた状態において、底面１５から天面１３に向かう方向を上方とし、上方と逆の方向を下方とする。上方および下方を含む鉛直方向は、第１方向Ｄ１および第２方向Ｄ２に対して垂直である。
【００２５】
図１および図２に表したように、外装箱１０の内側には、一対の第１側面板１１０および一対の第２側面板１２０が設けられる。一対の第１側面板１１０は、それぞれ、一対の第１面１１に沿って設けられる。一対の第２側面板１２０は、それぞれ、一対の第２面１２に沿って設けられる。第１側面板１１０の第２方向Ｄ２における長さは、例えば、第２側面板１２０の第１方向Ｄ１における長さよりも長い。
【００２６】
例えば、第１側面板１１０および第２側面板１２０は、それぞれ、第１面１１および第２面１２と接する。または、第１側面板１１０および第２側面板１２０は、それぞれ、第１面１１および第２面１２と、緩衝部材を介して接していても良い。
【００２７】
図２に表したように、第１側面板１１０の第２方向Ｄ２の上端部には、切り欠き１１０ａが設けられる。第２側面板１２０の第１方向Ｄ１の下端部には、切り欠き１２０ｂが設けられる。切り欠き１１０ａに切り欠き１２０ｂが掛けられることで、第１側面板１１０と第２側面板１２０が互いに固定される。
【００２８】
図３（ａ）に表したように、第１側面板１１０には、第１凹部１１１および第２凹部１１２が設けられる。第２凹部１１２は、第１凹部１１１よりも上方に位置する。第１凹部１１１および第２凹部１１２のそれぞれは、第２方向Ｄ２において、少なくとも２つ設けられる。図３（ａ）に表した例では、それぞれの凹部同士が繋がっているが、これらの凹部は分離して設けられても良い。
【００２９】
第１固定部材２１０の第１方向Ｄ１における一方の端部が、一対の第１側面板１１０の一方の第１凹部１１１に差し込まれる。第１固定部材２１０の第１方向Ｄ１における他方の端部が、一対の第１側面板１１０の他方の第１凹部１１１に差し込まれる。これにより、第１固定部材２１０が、第１方向Ｄ１に沿った状態で固定される。
【００３０】
同様に、第２固定部材２２０の第１方向Ｄ１における一方の端部が、一対の第１側面板１１０の一方の第２凹部１１２に差し込まれる。第２固定部材２２０の第１方向Ｄ１における他方の端部が、一対の第１側面板１１０の他方の第２凹部１１２に差し込まれる。これにより、第２固定部材２２０が、第１方向Ｄ１に沿った状態で固定される。
【００３１】
図３（ｂ）に表したように、一対の第１固定部材２１０が、第２方向Ｄ２において、互いに対向して設けられる。一対の第２固定部材２２０が、第２方向Ｄ２において、互いに対向して設けられる。例えば、外装箱１０の第２方向Ｄ２における中心を通り、第２方向Ｄ２に垂直な鉛直面１０Ｖに対して、一対の第１固定部材２１０および一対の第２固定部材２２０は、面対称に設けられる。
【００３２】
第１緩衝部材３１０は、図３（ｂ）および図３（ｃ）に表したように、一対の第２側面板１２０の一方に接して設けられる。また、第１緩衝部材３１０は、例えば、いずれかの固定部材の第２方向Ｄ２における端面に接する。別の第１緩衝部材３１０が、さらに、一対の第２側面板１２０の他方に接して設けられても良い。第１緩衝部材３１０は、例えば、直方体状である。第１緩衝部材３１０の上部は開けており、第１緩衝部材３１０の内側に小物を収納できる。
【００３３】
第２方向Ｄ２において、第１固定部材２１０同士の間には、第１物品４１０が配置される。一対の第１固定部材２１０の上には、第２物品４２０が載置される。第２物品４２０は、第２方向Ｄ２において、第２固定部材２２０同士の間に配置される。
【００３４】
包装材１が備える固定部材の数は、任意である。固定部材の数は、包装される物品の大きさや数に応じて、適宜変更できる。図１〜図５に表した例では、包装材１は、物品４３０〜４５０を包装するための、固定部材２３０〜２５０をさらに備える。第１側面板１１０には、固定部材２３０〜２５０を固定するための、凹部１１３〜１１５がさらに設けられる。
【００３５】
包装材１により包装される物品は、例えば、平面視において四角形である。包装材１により、第１方向Ｄ１の長さおよび第２方向Ｄ２の長さが互いに異なる複数の物品が包装される。物品は、例えば、多機能トイレ等に設けられるライニングの前面板である。この他に、浴室や、洗面化粧台、キッチンに用いられるパネルなどが包装材１で包装されても良い。
【００３６】
包装材１の各構成要素の作製方法について説明する。
包装材１の各構成要素は、図４（ａ）、図４（ｂ）、図５（ａ）〜図５（ｃ）の展開図で表される段ボール片から作製される。なお、図４（ａ）、図４（ｂ）、図５（ａ）〜図５（ｃ）において、破線は、折り目を表す。折り目には、適宜ハーフカットが設けられても良い。
【００３７】
外装箱１０の作製には、例えば、図４（ａ）に表した２枚の段ボール片が用いられる。まず、一方の段ボール片ののり代１８を、他方の段ボール片の第２面１２の端部に接着させる。次に、他方の段ボール片ののり代１８を、一方の段ボール片の第２面１２の端部に接着させる。続いて、下フラップ１６および底面１５を内側に折り込む。この状態で、他の部材および物品を、外装箱１０の内側に配置する。
【００３８】
第１側面板１１０は、例えば、図４（ｂ）に表した１枚の段ボール片を、折り目に沿って折り畳むことで作製される。第２側面板１２０は、例えば、図５（ａ）に表した１枚の段ボール片を、折り目に沿って折り畳むことで作製される。第１固定部材２１０および第２固定部材２２０のそれぞれは、例えば、図５（ｂ）に表した１枚の段ボール片を、２つの折り目に沿って谷折りまたは山折りすることで形成される。
【００３９】
第１緩衝部材３１０の作製には、例えば、図５（ｃ）に表した１枚の段ボール片が用いられる。まず、のり代３１１を反対側の端部３１２に接着する。次に、下フラップ３１３および底面３１４を折り込み、直方体状にすることで、第１緩衝部材３１０が作製される。
【００４０】
包装材１の組み立ておよび物品の包装は、例えば以下の手順で行われる。
まず、上述した通り、２枚の段ボール片を接着し、下フラップ１６および底面１５を内側に折り込んで、上側が開けた外装箱１０を用意する。次に、外装箱１０の内側に、一対の第１側面板１１０を第１面１１に沿って配置する。続いて、一対の第２側面板１２０を、第２面１２に沿って配置する。このとき、第１側面板１１０の切り欠き１１０ａに、第２側面板１２０の切り欠き１２０ｂを掛けることで、第１側面板１１０および第２側面板１２０を固定する。
【００４１】
次に、第１物品４１０を、底面１５および下フラップ１６の上に配置する。続いて、一対の第１固定部材２１０を、一対の第１側面板１１０の第１凹部１１１に差し込む。これにより、第１物品４１０の第１部分４１１および第２部分４１２が、一対の第１固定部材２１０により覆われる。第１固定部材２１０の第１方向Ｄ１における長さは、例えば、第１側面板１１０同士の間の第１方向Ｄ１における距離よりもやや長い。このため、第１固定部材２１０を第１凹部１１１に差し込む際は、第１固定部材２１０を変形させて差し込む。
【００４２】
次に、第２物品４２０を、一対の第１固定部材２１０の上に載置する。続いて、第１固定部材２１０と同様に、第２固定部材２２０を第２凹部１１２に差し込む。以降は、同様にして、物品の載置と固定部材の凹部への差込を交互に行う。
【００４３】
全ての物品を載置し、全ての固定部材を配置すると、第１緩衝部材３１０を、一方の第２側面板１２０に接して配置する。最後に、外装箱１０の上フラップ１４および天面１３を内側に折り込み、テープなどで留めることで、包装が完了する。
【００４４】
図６は、実施形態に係る包装材の一部を表す断面図である。
図６は、第２方向Ｄ２に平行な鉛直面における包装材１の断面の一部を表している。
図６に表したように、一方の第１固定部材２１０により、第１物品４１０の第１上面４１１Ｕから第１側面４１１Ｓに連なる第１部分４１１の少なくとも一部が覆われる。他方の第１固定部材２１０により、第１物品４１０の第１上面４１１Ｕから第２側面４１２Ｓに連なる第２部分４１２の少なくとも一部が覆われる。第１側面４１１Ｓと第２側面４１２Ｓは、例えば、第２方向Ｄ２において対向する。一対の第１固定部材２１０は、第１方向Ｄ１の全体にわたって第１部分４１１および第２部分４１２を覆っていても良いし、第１方向Ｄ１の一部において、第１部分４１１および第２部分４１２を覆っていても良い。
【００４５】
同様に、一方の第２固定部材２２０により、第２物品４２０の第２上面４２２Ｕから第３側面４２３Ｓに連なる第３部分４２３の少なくとも一部が覆われる。他方の第２固定部材２２０により、第２物品４２０の第２上面４２２Ｕから第４側面４２４Ｓに連なる第４部分４２４の少なくとも一部が覆われる。第３側面４２３Ｓと第４側面４２４Ｓは、例えば、第２方向Ｄ２において対向する。一対の第２固定部材２２０は、第１方向Ｄ１の全体にわたって第３部分４２３および第４部分４２４を覆っても良いし、第１方向Ｄ１の一部において、第３部分４２３および第４部分４２４を覆っても良い。
【００４６】
なお、ここでは、「覆う」とは、上方または第２方向Ｄ２から見た際に、それぞれの固定部材が、いずれかの部分の少なくとも一部と重なって見えることを意味する。第１部分４１１と第１固定部材２１０との間および第２部分４１２と第１固定部材２１０との間には、隙間があっても良い。同様に、第３部分４２３と第２固定部材２２０との間および第４部分４２４と第２固定部材２２０との間には、隙間があっても良い。
【００４７】
実施形態の効果を説明する。
実施形態に係る包装材１において、外装箱１０の内側には、一対の第１側面板１１０が設けられる。それぞれの第１側面板１１０に設けられた第１凹部１１１には、第１固定部材２１０が差し込まれる。この第１固定部材２１０により、包装対象である第１物品４１０の第１上面４１１Ｕから第１側面４１１Ｓに連なる第１部分４１１の少なくとも一部を覆うことが可能である。
この構成によれば、第１固定部材２１０により、第１物品４１０の第２方向Ｄ２における移動を抑制できる。また、第１方向Ｄ１における長さおよび第２方向Ｄ２における長さが第１物品４１０と異なる第２物品４２０を、第１固定部材２１０の上に載置できる。すなわち、実施形態に係る包装材によれば、形状が異なる複数の物品を包装でき、搬送時における物品の移動を抑制することが可能となる。さらに、第１凹部１１１の第２方向Ｄ２における位置を変えることで、様々な長さの第１物品４１０を包装でき、包装資材の種類を減らすこともできる。
【００４８】
第１固定部材２１０および第２固定部材２２０の好ましい構造について説明する。
図７は、実施形態に係る包装材の第１固定部材及び第２固定部材を表す斜視図である。
第１固定部材２１０は、図６および図７（ａ）に表したように、第１水平部２１１および第１鉛直部２１２を有する。第１鉛直部２１２は、第１方向Ｄ１に平行であり第２方向Ｄ２に垂直な側面２１２Ｓを有する。第１水平部２１１は、第１鉛直部２１２の上端に連なり、第１方向Ｄ１および第２方向Ｄ２に平行な上面２１１Ｕを有する。
【００４９】
同様に、第２固定部材２２０は、図６および図７（ｂ）に表したように、第２水平部２２１および第２鉛直部２２２を有する。第２鉛直部２２２は、第１方向Ｄ１に平行であり第２方向Ｄ２に垂直な側面２２２Ｓを有する。第２水平部２２１は、第２鉛直部２２２の上端に連なり、第１方向Ｄ１および第２方向Ｄ２に平行な上面２２１Ｕを有する。
【００５０】
図６に表したように、第１水平部２１１同士の間の第２方向Ｄ２における距離は、第１鉛直部２１２同士の間の第２方向Ｄ２における距離よりも短い。第２水平部２２１同士の間の第２方向Ｄ２における距離は、第２鉛直部２２２同士の間の第２方向Ｄ２における距離よりも短い。
【００５１】
また、第２鉛直部２２２同士の間の第２方向Ｄ２における距離Ｄｉ２は、第１水平部２１１同士の間の第２方向Ｄ２における距離Ｄｉ１よりも長い。距離Ｄｉ２が距離Ｄｉ１よりも長いことで、第２物品４２０を一対の第１固定部材２１０の上に載置することが可能となる。このため、第２物品４２０を、より安定した状態で包装できる。
【００５２】
図７（ａ）に表したように、第１鉛直部２１２の下部には、第１方向Ｄ１に沿って複数の切れ込みＣが設けられることが好ましい。この構成によれば、第１物品４１０の第１部分４１１または第２部分４１２を第１固定部材２１０で覆った際に、第１鉛直部２１２の下部が、第１物品４１０の形状に応じて変形する。そして、第１物品４１０の第１方向Ｄ１における移動が、第１鉛直部２１２下部の変形しなかった部分により抑制される。すなわち、この構成によれば、第２方向Ｄ２における移動に加えて、第１物品４１０の第１方向Ｄ１における移動を抑制できる。また、第１物品４１０の第１方向Ｄ１における長さに拘わらず、第１固定部材２１０により第１物品４１０を固定できるため、包装資材の種類を減らすこともできる。
【００５３】
より具体的には、第１鉛直部２１２の下部には、接触部２１２ｐおよび一対の規制部２１２ｒが設けられる。接触部２１２ｐは、第１方向Ｄ１において、一対の規制部２１２ｒの間に位置する。複数の切れ込みＣは、接触部２１２ｐの下部に設けられる。規制部２１２ｒの下端は、接触部２１２ｐの下端よりも下方に位置する。
【００５４】
包装材１に、第１方向Ｄ１の大きな衝撃が加わった際に、第１物品４１０の第１方向Ｄ１における移動を、接触部２１２ｐの変形だけで完全に防止できない可能性がある。その場合でも、図７（ａ）に表した構造によれば、規制部２１２ｒが第１方向Ｄ１において第１物品４１０に接触する。このため、第１側面板１１０と第１物品４１０が第１方向Ｄ１において直接接触することを防止でき、第１物品４１０に加わる衝撃を緩和できる。
【００５５】
同様に、第２固定部材２２０の第２鉛直部２２２は、接触部２２２ｐおよび規制部２２２ｒを有する。接触部２２２ｐの下部には、第１方向Ｄ１に沿って複数の切れ込みＣが設けられる。これにより、第２物品４２０の第１方向Ｄ１における移動および第２方向Ｄ２における移動を抑制でき、第２物品４２０に加わる衝撃を緩和できる。
【００５６】
より好ましくは、第１鉛直部２１２は、図７（ｃ）に表したように、第１鉛直部分２１２ａおよび第２鉛直部分２１２ｂを有する。第１鉛直部分２１２ａおよび第２鉛直部分２１２ｂは、第１方向Ｄ１において重なる。また、第１固定部材２１０同士を第２方向Ｄ２において対向させた際、一対の第１鉛直部分２１２ａは、一対の第２鉛直部分２１２ｂの間に位置する。複数の切れ込みＣは、第１鉛直部分２１２ａの下部に設けられる。第２鉛直部分２１２ｂの少なくとも一部は、第１鉛直部分２１２ａの複数の切れ込みＣが設けられた部分（接触部２１２ｐ）よりも下方に位置する。
【００５７】
この構成によれば、一対の第１鉛直部分２１２ａの下部により、第１物品４１０の第１部分４１１および第２部分４１２が上方から覆われ、第１物品４１０の第１方向Ｄ１における移動が抑制される。そして、一対の第２鉛直部分２１２ｂにより、第１物品４１０の第１部分４１１および第２部分４１２が側方から覆われることで、第１物品４１０の第２方向Ｄ２における移動がより確実に抑制される。
【００５８】
同様に、第２鉛直部２２２も、図７（ｄ）に表したように、第３鉛直部分２２２ｃおよび第４鉛直部分２２２ｄを有することが好ましい。第３鉛直部分２２２ｃの構造は、第１鉛直部分２１２ａと同様である。第４鉛直部分２２２ｄの構造は、第２鉛直部分２１２ｂと同様である。これにより、第２物品４２０の第１方向Ｄ１における移動および第２方向Ｄ２における移動をより確実に抑制できる。
【００５９】
図８は、実施形態の変形例に係る包装材の構造を表す断面図である。
図８（ａ）および図８（ｂ）は、第２方向Ｄ２に平行な鉛直面における包装材の断面図を表している。
【００６０】
図８（ａ）に表したように、一対の第１固定部材２１０の一方と、一対の第２固定部材２２０の一方と、が上下方向に並んで設けられても良い。第１物品４１０および第２物品４２０は、外装箱１０の第２方向Ｄ２の一方に寄せて包装される。このため、外装箱１０の内側において、第１物品４１０および第２物品４２０の細かな位置合わせが不要となり、包装作業が容易となる。
【００６１】
ただし、この場合、第１物品４１０および第２物品４２０を包装した後、包装材１の重心位置が第２方向Ｄ２において偏る。図３（ｂ）に表したように、一対の第１固定部材２１０および一対の第２固定部材２２０を、鉛直面１０Ｖに対して面対称に設けることで、重心の偏りを小さくできる。これにより、第１物品４１０および第２物品４２０を包装した後の持ち運びが容易となる。また、この配置によれば、物品を、いずれの第２面１２からも離して配置できるため、外装箱１０の底面角部が損傷または変形した場合でも、物品に衝撃が加わり難くなる。
【００６２】
図８（ｂ）に表したように、第１固定部材２１０は、第２方向Ｄ２において、１つのみ設けられても良い。この場合、第１物品４１０の第２方向Ｄ２における移動は、第１固定部材２１０と、別の部材（例えば、第２側面板１２０または第１緩衝部材３１０）と、により抑制される。第２物品４２０は、例えば、第１固定部材２１０および緩衝材３２０により下方から支持される。同様に、図８（ｂ）に表した例では、物品４３０〜４５０をそれぞれ支持するための、緩衝材３３０〜３５０が設けられる。
【００６３】
図８（ｂ）に表した変形例においても、外装箱１０の内側において、第１物品４１０および第２物品４２０が第２方向Ｄ２の一方に寄せて包装されるため、これらの物品の細かな位置合わせが不要となる。また、第１物品４１０の一部の上に緩衝材３２０を重ねて、次の第２物品４２０を重ねるため、包装作業がより容易となる。
【００６４】
この場合、第１物品４１０に、第２物品４２０の荷重が直接加わる。従って、第１物品４１０が損傷または変形する可能性を低減するためには、一対の第１固定部材２１０が設けられることが好ましい。
【００６５】
また、外装箱１０の内側には、図１〜図３に表したように、第２側面板１２０が設けられることが好ましい。第２側面板１２０が設けられることで、上下方向に対する包装材１の強度を高めることができる。また、包装材１に衝撃が加えられた際に、いずれかの物品が固定部材から外れ、物品が第２面１２に向けて移動することがある。このとき、第２側面板１２０が設けられることで、物品が外装箱１０の第２面１２と直接接触することを防止でき、物品への衝撃を緩和できる。
【００６６】
より好ましくは、第２側面板１２０は、第１側面板１１０の第２方向Ｄ２における端部同士の間に設けられる。この構成によれば、第１方向Ｄ１に向けて第１側面板１１０に加わる衝撃を、各固定部材だけでなく、第２側面板１２０でも受けることができる。固定部材が変形すると、物品の移動が規制されず、外装箱１０の内部で物品が移動する可能性があるが、各固定部材に加わる負荷が軽減されることで、固定部材の変形を抑制できる。この結果、包装される物品が損傷または変形する可能性を低減できる。
【００６７】
第２側面板１２０は、例えば、第１側面板１１０を外装箱１０の内側に配置した後に設けられる。そして、第１側面板１１０のそれぞれの凹部に、各固定部材が差し込まれる。この組立方法によれば、第１側面板１１０の端部が、第１方向Ｄ１において、第２側面板１２０と第１面１１によって挟み込まれる。このため、各固定部材を差し込む際に、第１側面板１１０が倒れることを防止でき、包装材１の組み立てが容易となる。
【００６８】
図９は、実施形態の変形例に係る包装材の第１固定部材および第２固定部材を表す斜視図である。
一対の第１固定部材２１０により、複数の物品が固定されても良い。この場合、図７を参照して説明したように、第１鉛直部２１２の下部に複数の切れ込みＣが設けられることが好ましい。それぞれの物品の第１方向Ｄ１における移動が抑制され、物品同士が接触する可能性を低減できるためである。
【００６９】
より好ましくは、図９（ａ）に表したように、第１方向Ｄ１において複数の接触部２１２ｐが設けられ、接触部２１２ｐ同士の間に規制部２１２ｒが設けられる。これにより、物品同士の接触をより確実に防止できる。
【００７０】
同様に、第２固定部材２２０においても、図９（ｂ）に表したように、第１方向Ｄ１において複数の接触部２２２ｐが設けられ、接触部２２２ｐ同士の間に規制部２２２ｒが設けられることが好ましい。
【００７１】
第１固定部材２１０および第２固定部材２２０について、接触部および規制部の第１方向Ｄ１における数は任意である。これらの数は、第１固定部材２１０および第２固定部材２２０のそれぞれにより固定される物品の数に応じて、適宜変更できる。
【００７２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、包装材が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７３】
１ 包装材、  １０ 外装箱、  １０Ｖ 鉛直面、  １１ 第１面、  １２ 第２面、  １３ 天面、  １４ 上フラップ、  １５ 底面、  １６ 下フラップ、  １８ のり代、  １１０ 第１側面板、  １１０ａ 切り欠き、  １１１ 第１凹部、  １１２ 第２凹部、  １１３〜１１５ 凹部、  １２０ 第２側面板、  １２０ｂ 切り欠き、  ２１０ 第１固定部材、  ２１１ 第１水平部、  ２１１Ｕ 上面、  ２１２ 第１鉛直部、  ２１２Ｓ 側面、  ２１２ａ 第１鉛直部分、  ２１２ｂ 第２鉛直部分、  ２１２ｐ 接触部、  ２１２ｒ 規制部、  ２２０ 第２固定部材、  ２２１ 第２水平部、  ２２１Ｕ 上面、  ２２２ 第２鉛直部、  ２２２Ｓ 側面、  ２２２ｃ 第３鉛直部分、  ２２２ｄ 第４鉛直部分、  ２２２ｐ 接触部、  ２２２ｒ 規制部、  ２３０〜２５０ 固定部材、  ３１０ 第１緩衝部材、  ３１１ のり代、  ３１２ 端部、  ３１３ 下フラップ、  ３１４ 底面、  ３２０〜３５０ 緩衝材、  ４１０ 第１物品、  ４１１ 第１部分、  ４１１Ｓ 第１側面、  ４１１Ｕ 第１上面、  ４１２ 第２部分、  ４１２Ｓ 第２側面、  ４２０ 第２物品、  ４２２Ｕ 第２上面、  ４２３ 第３部分、  ４２３Ｓ 第３側面、  ４２４ 第４部分、  ４２４Ｓ 第４側面、  ４３０〜４５０ 物品、  Ｃ 切れ込み、  Ｄ１ 第１方向、  Ｄ２ 第２方向、  Ｄｉ１、Ｄｉ２ 距離
【図１】
2019094122.tif 000003
【図２】
2019094122.tif 000004
【図３】
2019094122.tif 000005
【図４】
2019094122.tif 000006
【図５】
2019094122.tif 000007
【図６】
2019094122.tif 000008
【図７】
2019094122.tif 000009
【図８】
2019094122.tif 000010
【図９】
2019094122.tif 000011